(57)【要約】      （修正有）【課題】楽器用スタンドやマイクロホン用スタンド専用の設置スペースを不要とし、省スペース化を図る。【解決手段】電子打楽器やマイクロホン用として使用されるスピーカ付きアンプ１０が、電子打楽器用スタンドやマイクロホン用スタンドを取り付け可能なスタンド取り付け部を具備する。スタンド取り付け部は例えばスタンドの支柱を挿入可能な穴１６と、穴１６に挿入された支柱を固定する固定用ねじ１８とよりなる。【選択図】図１
2012220508.tif 000002
【特許請求の範囲】
【請求項１】
楽器やマイクロホン用として使用されるスピーカ付きのアンプであって、
楽器用スタンドやマイクロホン用スタンドを取り付け可能なスタンド取り付け部を具備することを特徴とするスピーカ付きアンプ。
【請求項２】
請求項１記載のスピーカ付きアンプにおいて、
前記スタンド取り付け部は前記楽器用スタンドや前記マイクロホン用スタンドの支柱を挿入可能な穴と、
前記穴に挿入された前記支柱を固定する固定用ねじとよりなることを特徴とするスピーカ付きアンプ。
【請求項３】
請求項１又は２記載のスピーカ付きアンプにおいて、
前記スピーカ付きアンプの筺体にスタビライザが取り付けられていることを特徴とするスピーカ付きアンプ。
【請求項４】
請求項３記載のスピーカ付きアンプにおいて、
前記スタビライザは前記筐体の底面に、その底面の大きさより大とされて取り付けられた板よりなることを特徴とするスピーカ付きアンプ。
【発明の詳細な説明】
【技術分野】
【０００１】
この発明は楽器やマイクロホン用として使用されるスピーカ付きアンプに関する。
【背景技術】
【０００２】
入力信号を増幅し、スピーカから放音する機能を有するスピーカ付きアンプは、用途に応じて各種形態・大きさのものがある。例えば、電子楽器の演奏等において使用されるスピーカ付きアンプは、低音再生等においても良好な特性が得られるように一般に構成されており、その結果、比較的大きく、かつ重量のあるものとなっていた。
【０００３】
特許文献１にはこのような電子楽器用のスピーカ付きアンプが記載されている。
【先行技術文献】
【特許文献】
【０００４】
【特許文献１】登録実用新案第３１０２０７７号公報
【発明の概要】
【発明が解決しようとする課題】
【０００５】
ところで、例えば電子打楽器等の演奏を行う場合には、電子打楽器は一般に楽器用スタンドに取り付けられて使用され、よって楽器用スタンドを設置するためのスペースが必要となり、かつスピーカ付きアンプを設置するためのスペースも必要となっていた。
【０００６】
このように楽器用スタンド及びスピーカ付きアンプ双方に設置用のスペースが必要となることは、例えば限られた狭いスペースで演奏を行いたい場合に大きな問題となり、この問題に対する解決策が望まれていた。
【０００７】
この発明の目的は、この問題に鑑み、楽器やマイクロホン用としてスピーカ付きアンプが楽器やマイクロホンと共に設置されて使用される場合において、従来に比し、省スペース化を図ることができるようにしたスピーカ付きアンプを提供することにある。
【課題を解決するための手段】
【０００８】
請求項１の発明によれば、楽器やマイクロホン用として使用されるスピーカ付きのアンプは、楽器用スタンドやマイクロホン用スタンドを取り付け可能なスタンド取り付け部を具備する。
【０００９】
請求項２の発明では請求項１の発明において、スタンド取り付け部は楽器用スタンドやマイクロホン用スタンドの支柱を挿入可能な穴と、穴に挿入された支柱を固定する固定用ねじとよりなる。
【００１０】
請求項３の発明では請求項１又は２の発明において、スピーカ付きアンプの筺体にスタビライザが取り付けられているものとされる。
【００１１】
請求項４の発明では請求項３の発明において、スタビライザは筐体の底面に、その底面の大きさより大とされて取り付けられた板よりなる。
【発明の効果】
【００１２】
この発明によれば、スピーカ付きアンプに楽器用スタンドやマイクロホン用スタンドを取り付けることができるため、楽器用スタンドやマイクロホン用スタンド専用の設置スペースは不要となり、よってその分、省スペース化を図ることが可能となる。
【図面の簡単な説明】
【００１３】
【図１】Ａはこの発明によるスピーカ付きアンプの一実施例を示す斜視図、ＢはＡに示したスピーカ付きアンプをスピーカ側から見た斜視図、Ｃはスタンド取り付け部の詳細を説明するための図。
【図２】図１に示したスピーカ付きアンプに楽器用スタンド及び電子打楽器が取り付けられた状態を示す斜視図。
【図３】演奏者の演奏状態の一例を説明するための図。
【図４】この発明によるスピーカ付きアンプの他の実施例を説明するための図。
【発明を実施するための形態】
【００１４】
この発明の実施形態を図面を参照して実施例により説明する。
【００１５】
図１はこの発明によるスピーカ付きアンプの一実施例の外観を示したものである。筐体１１の上面１１ａには凹部１２が形成されており、この凹部１２内に取っ手１３が設けられている。取っ手１３は比較的大きく、かつ重量のあるスピーカ付きアンプ１０を持ち運ぶ際に使用される。
【００１６】
筐体１１の一側面１１ｂには図１Ｂに示したようにスピーカ１４が配設されており、このスピーカ１４が配設されている筐体１１の側面１１ｂにはスピーカ１４を覆うようにパンチングメタル１５が取り付けられている。図１Ｂではパンチングメタル１５は詳細図示を省略し、ハッチングを付して示している。
【００１７】
筐体１１の外面には上記のような構成に加え、操作つまみや入力端子等が配置された操作部が設けられている。操作部はこの例では図１Ａにおいて筐体１１の背面側に位置しており、隠れて見えない。
【００１８】
筐体１１の上面１１ａにはスピーカ１４が位置する側面１１ｂと反対側の側面１１ｃ寄りに、所要の深さを有する穴１６が設けられている。筐体１１の側面１１ｃには穴１６の深さ方向に配列されて穴１６と連通するようにねじ穴１７が２箇所に設けられ、２つのねじ穴１７には図１Ｃに示したように固定用ねじ１８がそれぞれ螺合されて取り付けられている。
【００１９】
この例ではこれら穴１６と２本の固定用ねじ１８とによって楽器用スタンドやマイクロホン用スタンドを取り付けることができるスタンド取り付け部が構成されている。なお、穴１６には図１Ｃに示したようにキャップ１９が取り付けられ、スタンド取り付け部を使用しない時（スタンドを取り付けない時）は穴１６はキャップ１９によって蓋される。
【００２０】
一方、筐体１１の底面１１ｄには板２１が取り付けられている。板２１は筐体１１の底面１１ｄの大きさより大とされている。この板２１は図１に示したように立った状態となっているスピーカ付きアンプ１０の転倒を防止し、安定な姿勢を維持するためのスタビライザとして機能する。
【００２１】
板２１は例えばねじ止めにより筐体１１の底面１１ｄに取り付け固定される。なお、床に設置した際のすべりを防止すべく、板２１の下面には例えばゴムシートを周縁部に貼り付けたり、あるいはゴム足を取り付けておくことが好ましい。
【００２２】
図２は上記のような構成とされたスピーカ付きアンプ１０に楽器用スタンド３０が取り付けられ、さらに楽器用スタンド３０に電子打楽器４０が取り付けられた状態を示したものである。
【００２３】
楽器用スタンド３０は床に設置するための三脚を備えた楽器用スタンドの一部（バスケット部）に相当するもので、図２中、３１は高さ調整用の蝶ねじを示し、３２は角度調整用の蝶ねじを示す。また、３３はアームを示し、３４は３つのアーム３３を開閉するためのナットを示す。蝶ねじ３１,３２は支柱３５に配列されて位置されている。なお、蝶ねじ３１より下の支柱は図２では隠れて見えない。
【００２４】
スピーカ付きアンプ１０に対する楽器用スタンド３０及び電子打楽器４０の取り付けは以下の手順で行われる。
（１）穴１６に取り付けてあるキャップ１９を外し、２本の固定用ねじ１８を楽器用スタンド３０の支柱が穴１６に通るようにゆるめる。
（２）楽器用スタンド３０の蝶ねじ３１より下の支柱を穴１６に挿入する。
（３）２本の固定用ねじ１８を締め付け、穴１６に挿入された支柱をねじの先端で押圧して固定する。
（４）電子打楽器４０を楽器用スタンド３０に乗せ、ナット３４を回して３つのアーム３３で電子打楽器４０を挟み込んで固定する。
（５）蝶ねじ３１,３２で電子打楽器４０の高さと角度を調整する。
【００２５】
以上により、スピーカ付きアンプ１０に対する楽器用スタンド３０及び電子打楽器４０の取り付けが完了する。
【００２６】
以上説明したように、この例ではスピーカ付きアンプ１０に楽器用スタンド３０を搭載して取り付けることができるものとなっており、よって楽器用スタンド３０専用のスペースは不要となり、その分、省スペース化を図ることができる。また、上述したようにスタビライザとして機能する板２１を取り付けることにより、安定性が確保され、転倒を防止することができる。
【００２７】
図３は図２に対し、電子打楽器４０の向きを変え、演奏者がスピーカ付きアンプ１０に腰掛けて演奏する様子を示したものであり、図３中、二点鎖線は演奏者が腰掛けている状態を示す。演奏者はこのようにスピーカ付きアンプ１０に腰掛けた状態で楽器用スタンド３０に取り付けられた電子打楽器４０を演奏することもできる。この場合、スピーカ付きアンプ１０のそばに設置した椅子に演奏者が腰掛けて演奏する場合に比べ、さらに省スペース化を図ることも可能となる。
【００２８】
図４は板２１に替え、筐体１１の底面１１ｄの周囲に位置するように、筐体１１にＬ金具２２を複数取り付けた例を示したものであり、スタビライザとしてこのようにＬ金具２２を取り付ける構成としてもよい。Ｌ金具２２の床との接触面にはすべり防止用のゴムシート等を貼り付けておくのが好ましい。
【００２９】
上述した例では電子打楽器４０が楽器用スタンド３０に取り付けられているが、他の電子楽器を取り付けてもよく、例えばシンセサイザ等を取り付ける形態であってもよい。また、スピーカ付きアンプにマイクロホン用スタンドを取り付け、マイクロホン用として（ボーカル用として）スピーカ付きアンプを使用してもよい。
【００３０】
なお、スタンド取り付け部は上述した例では筐体１１の上面１１ａに設けた穴１６と固定用ねじ１８とによって構成されているが、これに限定されるものではなく、スタンドの支柱を安定に固定できる構造であればよい。また、例えばスタンド取り付け部を複数具備するものとしてもよい。
【００３１】
スタビライザとしては筐体１１に板２１やＬ金具２２を取り付ける構成に限らず、例えば筐体１１の回りに複数の脚を設けるといった構成も採用することができる。
【符号の説明】
【００３２】
１０，１０´  スピーカ付きアンプ            １１  筐体
１３          取っ手                        １４  スピーカ
１６          穴                            １８  固定用ねじ
１９          キャップ                      ２１  板
２２          Ｌ金具                        ３０  楽器用スタンド
３１，３２    蝶ねじ                        ３３  アーム
３４          ナット                        ３５  支柱
４０          電子打楽器
【図１】
2012220508.tif 000003
【図２】
2012220508.tif 000004
【図３】
2012220508.tif 000005
【図４】
2012220508.tif 000006